(57)【要約】      （修正有）【課題】製造、組立てが簡単で製品としての価格を安く抑えることができるとともに、メンテナンスも簡単なメガネフレームを提供する。【解決手段】主メガネフレーム２の前面側に取付け手段２０を介して副メガネフレーム１５が回動自在に取り付けられるメガネフレーム１であって、取付け手段２０を、主メガネフレーム２に取り付けられて、副メガネフレーム１５を回動自在に案内する案内部材２１と、主メガネフレーム２と副メガネフレーム１５との間に設けられて、副メガネフレーム１５の上ブリッジ１８を案内部材２１に押し付ける押圧部材とによって構成する。案内部材２１は、一端部が主メガネフレーム２のブリッジ６に固定され、他端部に副メガネフレーム１５の上ブリッジ１８を回動自在に挿通させる案内孔を有し、案内孔の内面に副メガネフレーム１５の上ブリッジ１８が押圧部材によって押し付けられる。【選択図】図２
0003105334.tif 000002
【実用新案登録請求の範囲】
【請求項１】
主メガネフレームの前面側に取付け手段を介して副メガネフレームが回動自在に取り付けられるメガネフレームであって、
前記取付け手段は、前記主メガネフレームに設けられて、前記副メガネフレームを回動自在に案内する案内部材と、前記主メガネフレームと前記副メガネフレームとの間に設けられて、前記副メガネフレームの一部を前記案内部材に押し付ける押圧部材とからなることを特徴とするメガネフレーム。
【請求項２】
前記案内部材は、一端部が前記主メガネフレーム側に固定され、他端部に前記副メガネフレームの一部を回動自在に挿通させる案内孔を有し、該案内孔の内面に前記副メガネフレームの一部が押し付けられるように構成されていることを特徴とする請求項１に記載のメガネフレーム。
【請求項３】
前記押圧部材は、前記主メガネフレームの一部に取り付けられる板ばねであって、該板ばねのばね力により前記副メガネフレームの一部が前記案内孔の内面に押し付けられるように構成されていることを特徴とする請求項２に記載のメガネフレーム。
【請求項４】
前記副メガネフレームの一部には、前記案内部材の案内孔を回動自在に挿通する多面体状の回動軸が設けられ、該回動軸の一つの面が前記板ばねのばね力により前記案内孔の内面に押し付けられるように構成されていることを特徴とする請求項３に記載のメガネフレーム。
【考案の詳細な説明】
【技術分野】
【０００１】
本考案は、メガネフレームに関し、特に、主メガネフレームの前面側に副メガネフレームが回動自在に取り付けられた前掛け式（跳ね上げ式）のメガネフレームに関するものである。
【背景技術】
【０００２】
この種のメガネフレームの一例として、主メガネフレームの前面側に蝶番を介して副メガネフレームを取り付け、副メガネフレームを主メガネフレームに対して所定の範囲内（主メガネフレームの前面と上方との間）を回動自在に構成したメガネフレームが提案されている。
【０００３】
このような構成のメガネフレームにあっては、副メガネフレームを回動させて主メガネフレームの前面側に位置させることにより、主メガネフレームのレンズと副メガネフレームのレンズとを通した視界が得られる。また、副メガネフレームを回動させて主メガネフレームの上方に位置させることにより、主メガネフレームのレンズのみを通しての視界が得られるというものである（例えば、特許文献１参照。）。
【特許文献１】特開平９−２９２５９２号公報
【考案の開示】
【考案が解決しようとする課題】
【０００４】
ところで、上記のような構成のメガネフレームにあっては、主メガネフレームと副メガネフレームとを回動自在に連結している蝶番の構造が複雑であるため、製造、組立てに手間がかかり、製品としての価格が高くなってしまう。また、メンテナンスにも手間がかかってしまう。
【０００５】
本考案は、前記のような従来のもののもつ問題を解決したものであって、製造、組立てが簡単で製品としての価格を安く抑えることができるとともに、メンテナンスも簡単なメガネフレームを提供することを目的とするものである。
【課題を解決するための手段】
【０００６】
上記のような課題を解決するために、本考案の請求項１に係るメガネフレームは、主メガネフレームの前面側に取付け手段を介して副メガネフレームが回動自在に取り付けられるメガネフレームであって、前記取付け手段は、前記主メガネフレームに設けられて、前記副メガネフレームを回動自在に案内する案内部材と、前記主メガネフレームと前記副メガネフレームとの間に設けられて、前記副メガネフレームの一部を前記案内部材に押し付ける押圧部材とからなる手段を採用している。
【０００７】
また、本考案の請求項２に係るメガネフレームは、請求項１に記載のメガネフレームであって、前記案内部材は、一端部が前記主メガネフレーム側に固定され、他端部に前記副メガネフレームの一部を回動自在に挿通させる案内孔を有し、該案内孔の内面に前記副メガネフレームの一部が押し付けられるように構成されている手段を採用している。
【０００８】
さらに、本考案の請求項３に係るメガネフレームは、請求項２に記載のメガネフレームであって、前記押圧部材は、前記主メガネフレームの一部に取り付けられる板ばねであって、該板ばねのばね力により前記副メガネフレームの一部が前記案内孔の内面に押し付けられるように構成されている手段を採用している。
【０００９】
さらに、本考案の請求項４に係るメガネフレームは、請求項３に記載のメガネフレームであって、前記副メガネフレームの一部には、前記案内部材の案内孔を回動自在に挿通する多面体状の回動軸が設けられ、該回動軸の一つの面が前記板ばねのばね力により前記案内孔の内面に押し付けられるように構成されている手段を採用している。
【考案の効果】
【００１０】
本考案は、前記のように構成したことにより、副メガネフレームを主メガネフレームに回動自在に取り付ける取付け手段の構造を簡単にすることができるので、製造、組立てが容易となり、製品としての価格を安く抑えることができる。また、構造が簡単であるので、メンテナンスを容易にすることもできる。
【考案を実施するための最良の形態】
【００１１】
以下、図面に示す本考案の実施の形態について説明する。
図１〜図３には、本考案によるメガネフレームの一実施の形態が示されていて、このメガネフレーム１は、所謂前掛け式（「跳ね上げ式」ともいう。）のメガネフレームであって、主メガネフレーム２と、主メガネフレーム２の前面側に回動自在に取り付けられる副メガネフレーム１５とを備えている。
【００１２】
主メガネフレーム２は、一対のレンズ保持枠３、３と、両レンズ保持枠３、３の内縁部間を連結するブリッジ６と、各レンズ保持枠３の外縁部に連結されるヨロイ８と、各ヨロイ８に蝶番９を介して回動自在に連結されるテンプル１０と、各テンプル１０の先端部に装着されるモダン１１とを備えている。
【００１３】
各レンズ保持枠３は、下方が開口する半環状をなすものであって、内縁部の下端部にパッド足４を介してノーズパッド５が取り付けられている。各レンズ保持枠３の内側には視力矯正用等のレンズ１２が装着され、このレンズ１２は保持糸（図示せず）によってレンズ保持枠３からの脱落が防止されている。
【００１４】
ブリッジ６は、多面体形状（この実施の形態においては四面体形状）に形成され、上面及び下面が水平方向を向き、前面及び後面が垂直方向を向くように、両レンズ保持枠３、３の内縁部の上端部間に水平に架設されている。
【００１５】
ブリッジ６の前面側の中央部には、上下面間を貫通する切込み７、７が長手方向に所定の間隔をおいて２箇所に設けられ、この切込み７、７内に後述する押圧部材２３の端部が嵌合されている。
【００１６】
副メガネフレーム１５は、一対のレンズ保持枠１６、１６と、レンズ保持枠１６、１６の内縁部の中央部間を連結する下ブリッジ１７と、内縁部の上端部間を連結する上ブリッジ１８とから構成されている。
【００１７】
上ブリッジ１８は、多面体形状（この実施の形態においては四面体形状）に形成され、上面及び下面が水平方向を向き、前面及び後面が垂直方向を向くように、両レンズ保持枠１６、１６の内縁部の上端部間に水平に架設されている。
【００１８】
副メガネフレーム１５の各レンズ保持枠１６の内側にはそれぞれ紫外線遮蔽用等のレンズ１９が装着されている。
【００１９】
取付け手段２０は、図３に示すように、主メガネフレーム２のブリッジ６に取り付けられる案内部材２１と、案内部材２１によって回動自在に支持される回動部材である副メガネフレーム１５の上ブリッジ１８と、主メガネフレーム２のブリッジ６と副メガネフレーム１５の上ブリッジ１８との間に設けられる押圧部材２３とを備えている。
【００２０】
案内部材２１は、長方形板状をなすものを二つに折り曲げてＵ型板状に形成し、このＵ型板状に形成したものの開口端部を主メガネフレーム２のブリッジ６に溶接、かしめ付け、ねじ止め等の手段により固定したものであって、内側に副メガネフレーム１５の上ブリッジ１８を回動自在に挿通させる案内孔２２が設けられている。
【００２１】
押圧部材２３は、板ばねであって、両端部を主メガネフレーム２のブリッジ６の切込み７、７内に嵌合させることにより、ブリッジ６から前方に半円弧状に突出するように固定され、ブリッジ６の前面に直交する方向にばね力が付与されるように構成されている。
【００２２】
板ばね２３は、案内孔２２内を挿通する副メガネフレーム１５の上ブリッジ１８の後面側に当接し、これにより上ブリッジ１８の後面に対向する前面側が案内部材２１の案内孔２２の内面に押し付けられる。上ブリッジ１８の前面側が案内部材２１の案内孔２２の内面に押し付けられることにより、副メガネフレーム１５の上ブリッジ１８が主メガネフレーム２に対して相対的に回動するのが阻止され、副メガネフレーム１５が主メガネフレーム２の前面側の所定の位置に保持される。
【００２３】
副メガネフレーム１５は、主メガネフレーム２に対して約０°〜約１８０°の範囲内を回動可能に構成され、約０°、約１１０°、約１８０°の位置に板ばね２３と上ブリッジ１８との協働により保持される。
【００２４】
すなわち、約０°の位置においては、副メガネフレーム１５は主メガネフレーム２に対して平行な状態に保持され、主メガネフレーム２のレンズ１２と副メガネフレーム１５のレンズ１９とを通した視界が得られる。また、約１１０°の位置においては、副メガネフレーム１５は主メガネフレーム２に対して略直交した状態に保持され、主メガネフレーム２のレンズ１２のみを通した視界が得られる。さらに、約１８０°の位置においては、副メガネフレーム１５は主メガネフレーム２の前面と面一の状態に保持され、主メガネフレーム２のレンズ１２のみによる視界が得られることになる。
【００２５】
上記のように構成したこの実施の形態によるメガネフレーム１にあっては、副メガネフレーム１５を主メガネフレーム２に回動自在に取り付ける取付け手段２０は、Ｕ型板状の案内部材２１と、板ばね２３と、副メガネフレーム１５の上ブリッジ１８（回動軸）とからなる簡単な構造のものであるので、製造、組立てが容易となり、製品としての価格を安く抑えることができる。また、構造が簡単なのでメンテナンスも容易にすることができる。
【図面の簡単な説明】
【００２６】
【図１】本考案によるメガネフレームの一実施の形態を示した斜視図である。
【図２】図１のメガネフレームの副メガネフレームの回動状態を示した斜視図である。
【図３】図１及び図２の部分拡大図である。
【符号の説明】
【００２７】
１  メガネフレーム
２  主メガネフレーム
３、１６  レンズ保持枠
４  パッド足
５  ノーズパッド
６  ブリッジ
７  切込み
８  ヨロイ
９  蝶番
１０  テンプル
１１  モダン
１２、１９  レンズ
１５  副メガネフレーム
１７  下ブリッジ
１８  上ブリッジ（回動部材）
２０  取付け手段
２１  案内部材
２２  案内孔
２３  押圧部材（板ばね）
【図１】
0003105334.tif 000003
【図２】
0003105334.tif 000004
【図３】
0003105334.tif 000005